(57)【要約】【課題】本考案は、ペットに容易に装着することができ、装着したときにペット用おむつやペット用シートをペットの体を必要以上に締め付けることなくペットの体に密着させ、ペット用おむつ自体のずれを防止するペット用おむつカバーを提供する。【解決手段】ペットの尻部をペット用おむつの上からカバーしペットの尻尾が挿通される尻尾貫通孔を具えるおむつカバー部と、ペットの首部を囲繞する首カバー帯と、ペットの背側および腹側にあって前記おむつカバー部と前記首カバー帯とを連結する第１の連結帯と、ペットの背側および腹側にあって前記ペット用おむつと前記首カバー帯とを連結し該ペット用おむつをペットの頭部側に付勢する第２の連結帯とからなり、前記第２の連結帯は前記ペット用おむつに点ファスナーを介して着脱自在に係着される構成とした。【選択図】図１
0003135310.tif 000002
【実用新案登録請求の範囲】
【請求項１】
ペットの尻部を囲繞するペット用おむつまたはペット用シートをカバーするとともにペットの胴体後半部を囲繞しペットの尻尾が挿通される尻尾貫通孔を具えるおむつカバー部と、
ペットの首部を囲繞する首カバー帯と、
ペットの背側にあって前記おむつカバー部と前記首カバー帯とを連結する第１の背側連結帯と、
ペットの腹側にあって前記おむつカバー部と前記首カバー帯とを連結する第１の腹側連結帯と、
ペットの背側にあって前記ペット用おむつまたはペット用シートと前記首カバー帯とを連結し該ペット用おむつまたはペット用シートをペットの頭部側に付勢する伸縮材からなる第２の背側連結帯と、
ペットの腹側にあって前記ペット用おむつまたはペット用シートと前記首カバー帯とを連結し該ペット用おむつまたはペット用シートをペットの頭部側に付勢する伸縮材からなる第２の腹側連結帯と、からなり、
前記第１の背側連結帯および前記第１の腹側連結帯の両端はそれぞれ前記おむつカバー部および前記首カバー帯に固着され、または該第１の背側連結帯および該第１の腹側連結帯のいずれか一端は該おむつカバー部若しくは該首カバー帯に点ファスナーを介して着脱自在に係着され、
前記第２の背側連結帯および前記第２の腹側連結帯の一端はそれぞれ前記首カバー帯に固着されるとともに他端はそれぞれ前記ペット用おむつまたはペット用シートに点ファスナーを介して着脱自在に係着される、ことを特徴とするペット用おむつカバー。
【請求項２】
前記おむつカバー部のペットの背側は前記尻尾貫通孔まで裁断され、線ファスナーまたは複数個の点ファスナーを介して開閉自在に係着される開閉部を具える、ことを特徴とする請求項１に記載のペット用おむつカバー。
【請求項３】
前記おむつカバー部の両脇は面ファスナー、線ファスナー若しくは点ファスナーを介して開閉自在に形成され、または固着されている、ことを特徴とする請求項１または請求項２に記載のペット用おむつカバー。
【請求項４】
前記おむつカバー部のペットの頭部側縁部には帯状の伸縮材が添装されている、ことを特徴とする請求項１ないし請求項３のいずれかに記載のペット用おむつカバー。
【請求項５】
前記首カバー帯はその両端部に面ファスナー若しくは点ファスナーが固着され該面ファスナー若しくは点ファスナー同士が係着されることによりリング状に形成され、および／または帯状の伸縮材から形成されている、ことを特徴とする請求項１ないし請求項４のいずれかに記載のペット用おむつカバー。
【請求項６】
前記第１の背側連結帯および前記第１の腹側連結帯はその長さが調整可能に形成され、および／または前記おむつカバー部をペットの頭部側に付勢する帯状の伸縮材からなる、ことを特徴とする請求項１ないし請求項５のいずれかに記載のペット用おむつカバー。
【請求項７】
前記第２の背側連結帯および前記第２の腹側連結帯の他端部は前記ペット用おむつまたはペット用シートの縁部を上下から挟む上部係着帯と下部係着帯とからなり、
前記第２の背側連結帯の上部係着帯の先端下側には雌型点ファスナーが固着されるとともに該第２の背側連結帯の下部係着帯の先端上側には雄型点ファスナーが固着され、
前記第２の腹側連結帯の上部係着帯の先端下側には雄型点ファスナーが固着されるとともに該第２の腹側連結帯の下部係着帯の先端上側には雌型点ファスナーが固着され、
前記雄型点ファスナーおよび雌型点ファスナーを介して該ペット用おむつまたはペット用シートに対して着脱自在に係着される、ことを特徴とする請求項１ないし請求項６のいずれかに記載のペット用おむつカバー。
【請求項８】
平面から見て前記第２の背側連結帯および前記第２の腹側連結帯はペットの胴体の略中心線に沿う１本の帯からなり、
前記第１の背側連結帯および前記第１の腹側連結帯はそれぞれ該第２の背側連結帯および該第２の腹側連結帯の両側に沿う２本の帯からなる、ことを特徴とする請求項１ないし請求項７のいずれかに記載のペット用おむつカバー。
【請求項９】
前記おむつカバー部、前記首カバー帯、前記第１の背側連結帯および前記第１の腹側連結帯は織布で形成されている、ことを特徴とする請求項１ないし請求項８のいずれかに記載のペット用おむつカバー。
【請求項１０】
前記おむつカバー部、前記首カバー帯、前記第１の背側連結帯および前記第１の腹側連結帯はゴム糸をネット状に編込んだ網で形成されている、ことを特徴とする請求項１ないし請求項８のいずれかに記載のペット用おむつカバー。
【考案の詳細な説明】
【技術分野】
【０００１】
本考案は、ペット用おむつまたはペット用シートをカバーするペット用おむつカバーに関する。
【背景技術】
【０００２】
主に室内で飼育される犬、猫等のペットが、高齢化や事故あるいは病気等によって寝たきりの状態となったり、体力の衰えにより介護を要する状態となったりしたときには、ペットが排泄する糞尿等のまき散らしを防止し、かつ、ペットの生活環境を清潔な状態に保つ必要が生ずる。また、室内ばかりでなく、屋外で散歩する場合であっても、糞尿等のまき散らしを防ぐ必要が生ずる。
【０００３】
そのため、ペットが排泄する糞尿等のまき散らしを防止すべく、必要に応じて、飼い主はペットの体型にあった市販のペット用の紙おむつを購入し、あるいは市販のペット用のシートを適度の大きさに切断して、ペットに使用する。
【０００４】
しかし、市販のペット用の紙おむつやペット用のシートは、ペットに装着してもペットが後足で外してしまったり、動き回るペットにより位置がずれてしまったりする場合がある。ことに、雄犬の場合にはペット用の紙おむつの位置がずれると、尿の排出部がペット用の紙おむつやペット用のシートから飛び出すといった不具合が生じることがある。
このような不具合を解消するために、各種のおむつカバーが提案されていて、たとえば、実用新案登録第３０８１４８１号公報や特開２００６−２６２８８０号公報に開示のものがある。
【０００５】
実用新案登録第３０８１４８１号公報に開示のペット用おむつカバーは「ペットに容易に装着することができ、装着してペット用おむつシートをペットの体表面に十分に密着させ、ペット用おむつシートによる汚物の吸収性を十分に発揮して汚物を保持するとともに、汚物を外部に漏らすことがない、ペット用おむつカバーの提供」を目的としていて、この目的を達成するために「ペットの後胴体上部に配設され、尻尾用貫通孔を有する後胴上カバー部と、該後胴上カバー部の後端に連設され、ペットの股下に配設される股下カバー部と、該股下カバー部の前端から左右に延設された左腹カバー部と右腹カバー部とを有し、該左腹カバー部および右腹カバー部の先端に設けられた左端係合部および右端係合部が着脱自在に係合する胴上係合部が、前記後胴上カバー部の前端に設けられ、前記股下カバ−部の後部内側におむつ装着部を有し、おむつ装着部の左右両縁辺に汚物漏れ止め部を有する」構成としたものである。
また、特開２００６−２６２８８０号公報に開示のペット用おむつカバーは「両足、尾に自由度のある専用の穴部を設け、後足、尾等の穴部の周りにゴム等を通して体にフィットさせたので、動いても尿等が漏れなく、且つ市販のおむつをそのまま使用できコストダウンが図れるペット用おむつカバーの提供」を目的としていて、この目的を達成するために「前足穴部を持つ胴部シートとペットの肛門部を露出するように長目の切れ目状の尾穴部を有する尻部シートとの連続したシートのペット用おむつカバーで、その組み立て時に胴部シートの前部がペットの首穴部を、胴部シートの後部と尻部シートの側面部とで後足穴部を構成し、胴部シートにその両側面で互いに仮着する上部係合部及び尻部シートの先端部とそれに対応する該胴部シートの後端部に互いに仮着する腰部係合部を設け、おむつカバーの穴部の周囲に伸縮部を設ける」構成としたものである。
【特許文献１】実用新案登録第３０８１４８１号公報
【特許文献２】特開２００６−２６２８８０号公報
【考案の開示】
【考案が解決しようとする課題】
【０００６】
しかしながら、実用新案登録第３０８１４８１号公報に開示のペット用おむつカバーは、ペット用おむつ自体のずれを防止し得るものではなく、引き綱部材がペットの腹部を締め付ける場合もあり、ペットの体を必要以上に締め付けるおそれもある。
また、特開２００６−２６２８８０号公報に開示のペット用おむつカバーは、ペットの体の略全体を覆うため、毛足の長いペットや夏場等では体温の上昇につながるおそれがある。
【０００７】
そこで、本考案は、ペットに容易に装着することができ、装着したときにペット用おむつやペット用シートをペットの体を必要以上に締め付けることなくペットの体に密着させ、ペット用おむつ自体のずれを防止するとともに、夏場や冬場の気象条件が厳しいときであっても、ペットが快適に過ごせることができるペット用おむつカバーを提供することを目的とする。
【課題を解決するための手段】
【０００８】
上記目的を達成するため、本願請求項１に係るペット用おむつカバーは、ペットの尻部を囲繞するペット用おむつまたはペット用シートをカバーするとともにペットの胴体後半部を囲繞しペットの尻尾が挿通される尻尾貫通孔を具えるおむつカバー部と、ペットの首部を囲繞する首カバー帯と、ペットの背側にあって前記おむつカバー部と前記首カバー帯とを連結する第１の背側連結帯と、ペットの腹側にあって前記おむつカバー部と前記首カバー帯とを連結する第１の腹側連結帯と、ペットの背側にあって前記ペット用おむつまたはペット用シートと前記首カバー帯とを連結し該ペット用おむつまたはペット用シートをペットの頭部側に付勢する伸縮材からなる第２の背側連結帯と、ペットの腹側にあって前記ペット用おむつまたはペット用シートと前記首カバー帯とを連結し該ペット用おむつまたはペット用シートをペットの頭部側に付勢する伸縮材からなる第２の腹側連結帯と、からなり、前記第１の背側連結帯および前記第１の腹側連結帯の両端はそれぞれ前記おむつカバー部および前記首カバー帯に固着され、または該第１の背側連結帯および該第１の腹側連結帯のいずれか一端は該おむつカバー部若しくは該首カバー帯に点ファスナーを介して着脱自在に係着され、前記第２の背側連結帯および前記第２の腹側連結帯の一端はそれぞれ前記首カバー帯に固着されるとともに他端はそれぞれ前記ペット用おむつまたはペット用シートに点ファスナーを介して着脱自在に係着される、ことを特徴としている。
また、本願請求項２に係るペット用おむつカバーは、請求項１に記載のペット用おむつカバーであって、前記おむつカバー部のペットの背側は前記尻尾貫通孔まで裁断され、線ファスナーまたは複数個の点ファスナーを介して開閉自在に係着される開閉部を具える、ことを特徴としている。
そして、本願請求項３に係るペット用おむつカバーは、請求項１または請求項２に記載のペット用おむつカバーであって、前記おむつカバー部の両脇は面ファスナー、線ファスナー若しくは点ファスナーを介して開閉自在に形成され、または固着されている、ことを特徴としている。
さらに、本願請求項４に係るペット用おむつカバーは、請求項１ないし請求項３のいずれかに記載のペット用おむつカバーであって、前記おむつカバー部のペットの頭部側縁部には帯状の伸縮材が添装されている、ことを特徴としている。
また、本願請求項５に係るペット用おむつカバーは、請求項１ないし請求項４のいずれかに記載のペット用おむつカバーであって、前記首カバー帯はその両端部に面ファスナー若しくは点ファスナーが固着され該面ファスナー若しくは点ファスナー同士が係着されることによりリング状に形成され、および／または帯状の伸縮材から形成されている、ことを特徴としている。
そして、本願請求項６に係るペット用おむつカバーは、請求項１ないし請求項５のいずれかに記載のペット用おむつカバーであって、前記第１の背側連結帯および前記第１の腹側連結帯はその長さが調整可能に形成され、および／または前記おむつカバー部をペットの頭部側に付勢する帯状の伸縮材からなる、ことを特徴としている。
さらに、本願請求項７に係るペット用おむつカバーは、請求項１ないし請求項６のいずれかに記載のペット用おむつカバーであって、前記第２の背側連結帯および前記第２の腹側連結帯の他端部は前記ペット用おむつまたはペット用シートの縁部を上下から挟む上部係着帯と下部係着帯とからなり、前記第２の背側連結帯の上部係着帯の先端下側には雌型点ファスナーが固着されるとともに該第２の背側連結帯の下部係着帯の先端上側には雄型点ファスナーが固着され、前記第２の腹側連結帯の上部係着帯の先端下側には雄型点ファスナーが固着されるとともに該第２の腹側連結帯の下部係着帯の先端上側には雌型点ファスナーが固着され、前記雄型点ファスナーおよび雌型点ファスナーを介して該ペット用おむつまたはペット用シートに対して着脱自在に係着される、ことを特徴としている。
また、本願請求項８に係るペット用おむつカバーは、請求項１ないし請求項７のいずれかに記載のペット用おむつカバーであって、平面から見て前記第２の背側連結帯および前記第２の腹側連結帯はペットの胴体の略中心線に沿う１本の帯からなり、前記第１の背側連結帯および前記第１の腹側連結帯はそれぞれ該第２の背側連結帯および該第２の腹側連結帯の両側に沿う２本の帯からなる、ことを特徴としている。
そして、本願請求項９に係るペット用おむつカバーは、請求項１ないし請求項８のいずれかに記載のペット用おむつカバーであって、前記おむつカバー部、前記首カバー帯、前記第１の背側連結帯および前記第１の腹側連結帯は織布で形成されている、ことを特徴としている。
さらに、本願請求項１０に係るペット用おむつカバーは、請求項１ないし請求項８のいずれかに記載のペット用おむつカバーであって、前記おむつカバー部、前記首カバー帯、前記第１の背側連結帯および前記第１の腹側連結帯はゴム糸をネット状に編込んだ網で形成されている、ことを特徴としている。
なお、上記において、面ファスナーとは雌型および雄型からなるテープ状の面で係着するファスナーをいい、線ファスナーとはスライド式ファスナーのような線で係着するファスナーをいい、点ファスナーとはスナップボタンボタンとボタンホールあるいはクリップのような点で係着するファスナーをいう。また、ペット用おむつまたはペット用シートの縁部の上下とは、該ペット用おむつまたはペット用シートをペットに装着したときの方向をいう。
【考案の効果】
【０００９】
本願考案は、上記構成により以下の効果を奏する。
（１）おむつカバー部は首カバー帯から第１の背側連結帯および第１の腹側連結帯を介していわば吊り下げられた状態になっていて、ペットの胴体を締め付けるベルト等を使用していないため、ペットの胴体を必要以上に締め付けることはない。また、第１の背側連結帯および第１の腹側連結帯の長さを調整可能とし、または第１の背側連結帯および第１の腹側連結帯を帯状の伸縮材とした場合には、多少、ペットの体格が異なっていても、ペットの体に密着するペット用おむつカバーとすることができる。
（２）ペットに装着したペット用おむつまたはペット用シートは、第２の背側連結帯および第２の腹側連結帯によりペットの頭部方向に付勢されていてため、緩んで外れることがない。
（３）第１の背側連結帯および第１の腹側連結帯のいずれか一端部をおむつカバー部若しくは首カバー帯に点ファスナーを介して着脱自在に係着するようにし、および／またはおむつカバー部のペットの背側を尻尾貫通孔まで裁断し線ファスナー若しくは複数個の線ファスナーを介して開閉自在に係着される開閉部を具えるようにし、および／またはおむつカバー部の両脇を点ファスナーを介して開閉自在とした場合には、ペットに対するおむつカバー部の着脱は極めて容易である。
（４）そして、おむつカバー部のペットの頭部側縁部に紐状の伸縮材を添装することにより、おむつカバー部はより密着して、ペットの胴体後半部を囲繞する。
（５）第２の背側連結帯および第２の腹側連結帯のペット用おむつまたはペット用シートに連結する端部はペット用おむつまたはペット用シートの縁部を上下から挟む上部係着帯および下部係着帯とからなっていて、上部係着帯および下部係着帯のそれぞれに固着された雌雄一対の点ファスナーを介してペット用おむつまたはペット用シートの縁部を挟着するようになっている。このため、ペット用おむつまたはペット用シートについては格別の器具や部品が不要であり、既製のペット用おむつまたはペット用シートを使用することができる。すなわち、雌雄一対の点ファスナーに対応する既製のペット用おむつまたはペット用シートの位置に貫通孔を穿設し、この貫通孔に雌雄一対の点ファスナーの雄型点ファスナーを貫通させて雌型点ファスナーを係着させれば済むからである。また、雄型点ファスナーが固着される係着帯は、ペットの体に密着する側の上部係着帯あるいは下部係着帯であるので、雌雄一対の点ファスナーの係着は確実に、かつ、容易に行うことができる。
（６）おむつカバー部、首カバー帯、第１の背側連結帯および第１の腹側連結帯を天然繊維の織布で形成した場合には、通気性や吸湿性に優れているので、当該ペット用おむつカバーを装着したペットが快適な状態に置かれるばかりでなく、ペット用おむつまたはペット用シートが天然繊維の織布に覆われて殆ど隠れてしまうので、散歩中の見栄えが良くなる。なお、夏場では木綿や麻、冬場ではウール等を使用することにより、より一層、ペットが快適な状態に置かれる。また、合成繊維の織布を使用することもできることは勿論である。
（７）また、おむつカバー部、首カバー帯、第１の背側連結帯および第１の腹側連結帯をゴム糸をネット状に編込んだ網で形成した場合には、通気性に優れているので、当該ペット用おむつカバーを装着したペットが快適な状態に置かれるばかりでなく、ペット用おむつまたはペット用シートの状態が外部から窺うことができるので、ペット用おむつまたはペット用シートの装着状態や使用状態の異常をいち早く知ることができる。
すなわち、天然繊維の織布を使用したペット用おむつカバーは、主に外出用として、ゴム糸をネット状に編込んだ網を使用したペット用おむつカバーは、主に室内用として、使い分けることができる。
【考案を実施するための最良の形態】
【００１０】
以下、本願発明を実施するための最良の形態に係る実施例１および実施例２について、図１ないし図５に基づいて説明する。なお、図１は、実施例１および実施例２に係るペット用おむつカバーの使用状態を示す側面図であり、図２は、実施例１に係るペット用おむつカバーの展開図であり、図３は、実施例１に係る第２の背側連結帯の斜視図であり、図４は、実施例２に係るペット用おむつカバーの展開図であり、図５は、実施例２に係る第２の背側連結帯の斜視図である。なお、以下の説明で、「上」、「下」、「左」、「右」とは、図２ないし図５における図面の各方向をいう。
【００１１】
図１ないし図５において、符号１は実施例１に係るペット用おむつカバー、符号２は実施例２に係るペット用おむつカバー、符号１０はおむつカバー部、符号１１はおむつカバー部本体、符号１３は尻尾貫通孔、符号１５は係着部、符号１７は雄型点ファスナー、符号１９は雌型点ファスナー、符号２１は縫着部、符号２３は紐状の伸縮材、符号２５は開閉部、符号３０は首カバー帯、符号４１は第１の背側連結帯、符号４２は第２の背側連結帯、符号４２１は上部係着帯、符号４２３は下部係着帯、符号４２５は雄型点ファスナー、符号４２７は雌型点ファスナー、符号５１は第１の腹側連結帯、符号５２は第２の腹側連結帯、である。
【実施例１】
【００１２】
まず、実施例１に係るペット用おむつカバーについて、図１ないし図３を基に説明する。
ペット用おむつカバー１は、おむつカバー部１０、首カバー帯３０、２本の第１の背側連結帯４１、１本の第２の背側連結帯４２、２本の第１の腹側連結帯５１および１本の第２の腹側連結帯５２から構成されている。
【００１３】
おむつカバー部１０は、１枚布の矩形のおむつカバー部本体１１から構成されていて、おむつカバー部本体１１の中心位置より上部寄りには尻尾貫通孔１３が貫設され、上辺縁および下辺縁に沿って紐状の伸縮材２１が添装されている。
そして、おむつカバー部本体１１を上辺あるいは下辺に平行な中心線に沿って山折りし、左右の辺縁の上下端部に位置する縫着部２１同士を縫着することにより、おむつカバー部本体１１が袋状となって左右の辺縁の中間部にペットの後足が貫通する貫通孔が形成される。
さらに、おむつカバー部本体１１の上辺中央部から尻尾貫通孔１３にかけておむつカバー部本体１１が裁断されていて、この裁断部分には線ファスナーが縫着されて当該線ファスナーを介して開閉自在に係着される開閉部２５が形成されている。
【００１４】
首カバー帯３０は、ゴム紐が添着された帯状の織布であって、帯状の織布の両端部を縫着してリング状としたものである。なお、両端部に点ファスナー等を縫着して、着脱自在としても良い。
【００１５】
２本の第１の背側連結帯４１、４１および２本の第１の腹側連結帯５１、５１は、ゴム紐が添着された帯状の織布であり、いずれも一端は首カバー帯３０に縫着され他端はおむつカバー部１０に縫着されている。なお、第１の背側連結帯４１および第１の腹側連結帯５１の一端または他端を首カバー帯３０またはおむつカバー部１０に着脱自在に係着するようにしても良い。
【００１６】
１本の第２の背側連結帯４２および１本の第２の腹側連結帯５２（図示外）は、ゴム紐が添着された帯状の織布であり、いずれも一端は首カバー帯３０に縫着されている。そして、他端は二股に分かれた上部係着帯４２１と下部係着帯４２３の二層構造となっていて、第２の背側連結帯４２については、ペットの体に密着する下部係着帯４２３に雄型点ファスナー４２５が縫着され、上部係着帯４２１に雌型点ファスナー４２７が縫着されている。一方、第２の腹側連結帯５２については、ペットの体に密着する上部係着帯４２１に雄型点ファスナー４２５が縫着され、下部係着帯４２３に雌型点ファスナー４２７が縫着されている。
【００１７】
なお、ペット用おむつカバー１では、おむつカバー部１０、首カバー帯３０、第１の背側連結帯４１、第２の背側連結帯４２、第１の腹側連結帯５１および第２の腹側連結帯５２をいずれも織布で形成している。また、固着方法を縫着としているが、縫着以外の糊着、融着、溶着としても良いことは勿論である。
【００１８】
つぎに、ペット用おむつカバー１の使用方法の例について説明する。
【００１９】
ペットにペット用おむつカバー１を装着させる手順例は、以下の通りである。
（１）ペットの尻部に図示外のペット用おむつまたはペット用シートを装着する。このペット用おむつまたはペット用シートはいずれも市販されているものを使用するが、ペット用シートはペットの大きさに合わせて略方形にカットしたものを使用する。
（２）ペットの尻部に装着したペット用おむつまたはペット用シートのペットの頭部側に位置する縁部の背側と腹側にそれぞれ２個ずつの雄型点ファスナー４２５が貫通可能な貫通孔を貫設する。
（３）ペットの頭部をペット用おむつカバー１の首カバー帯３０に挿入し、おむつカバー部１０をペットの尻尾側に引き伸ばしながらペットの尻尾を尻尾貫通孔１３に挿入するとともに、おむつカバー部本体１１の左右の辺縁の縫着部２１同士を縫着することにより形成された後足の貫通孔にペットの後足を挿入する。この際、第１の腹側連結帯５１がペットの前足の腹側に位置するようにする。
（４）第２の背側連結帯４２および第２の腹側連結帯５２の他端に縫着された雌雄一対の点ファスナーの雄型点ファスナー４２５をペット用おむつまたはペット用シートに貫設した貫通孔に貫通させた上、雌型点ファスナー４２７を係止させて係着させる。
（５）おむつカバー部１０の開閉部２５の線ファスナーを閉じる。
【００２０】
上記の手順により、ペット用おむつカバー１はペットに装着されるが、第１の背側連結帯４１および第１の腹側連結帯５１により、おむつカバー部１０はペットの頭部側に付勢され、第２の背側連結帯４２および第２の腹側連結帯５２により、ペット用おむつまたはペット用シートはペットの頭部側に付勢されて、ペットに対してペット用おむつまたはペット用シートとペット用おむつカバー１とは確りと固定される。なお、上記手順を逆に行うことにより、ペット用おむつカバー１をペットから脱がせることができる。
【実施例２】
【００２１】
つぎに、実施例２に係るペット用おむつカバーについて図１、図４および図５を基に説明する。
ペット用おむつカバー２は、ペット用おむつカバー１と同様に、おむつカバー部１０、首カバー帯３０、２本の第１の背側連結帯４１、１本の第２の背側連結帯４２、２本の第１の腹側連結帯５１および１本の第２の腹側連結帯５２から構成されている。
【００２２】
おむつカバー部１０は、ゴム糸をネット状に編込んだ矩形の網（以下、ゴム糸をネット状に編込んだ網を「ゴムネット」ということにする。）のおむつカバー部本体１１から構成されていて、おむつカバー部本体１１の中心位置より上部寄りには尻尾貫通孔１３が貫設され、おむつカバー部本体１１の左右の辺縁の上部には２個の雌型点ファスナー１９が縫着された係着部１５が形成され、左右の辺縁の下部には２個の雄型点ファスナー１７が縫着された係着部１５が形成されている。
そして、おむつカバー部本体１１を上辺あるいは下辺に平行な中心線に沿って山折りし、左右の上下辺縁の係着部１５同士を係着させることにより、おむつカバー部本体１１が袋状となって、左右の辺縁の中間部にペットの後足が貫通する貫通孔が形成される。
【００２３】
ペット用おむつカバー１を構成する首カバー帯３０は、帯状のゴムネットの両端部を縫着してリング状としたものであるが、両端部に点ファスナー等を縫着して、着脱自在としても良い。
【００２４】
２本の第１の背側連結帯４１、４１および２本の第１の腹側連結帯５１、５１は、帯状のゴムネットであり、おむつカバー部本体１１と一体となっていて、その先端である他端はおむつカバー部１０に縫着されている。なお、第１の背側連結帯４１および第１の腹側連結帯５１の他端を首カバー帯３０またはおむつカバー部１０に着脱自在に係着するようにしても良い。
【００２５】
１本の第２の背側連結帯４２および１本の第２の腹側連結帯５２（図示外）は、ゴム紐が添着された帯状の織布であり、いずれも一端は首カバー帯３０に縫着されている。そして、他端は上部係着帯４２１と下部係着帯４２３の二層構造となっていて、第２の背側連結帯４２については、ペットの体に密着する下部係着帯４２３に雄型点ファスナー４２５が縫着され、上部係着帯４２１に雌型点ファスナー４２７が縫着されている。一方、第２の腹側連結帯５２については、ペットの体に密着する上部係着帯４２１に雄型点ファスナー４２５が縫着され、下部係着帯４２３に雌型点ファスナー４２７が縫着されている。
【００２６】
なお、ペット用おむつカバー２では、おむつカバー部１０、首カバー帯３０、第１の背側連結帯４１、第２の背側連結帯４２、第１の腹側連結帯５１および第２の腹側連結帯５２をいずれもゴムネットで形成しているが、ペット用おむつカバー１と同様に、織布で形成しても良い。また、固着方法を縫着としているが、縫着以外の糊着、融着、溶着であっても良いことは勿論である。
【００２７】
つぎに、ペット用おむつカバー２の使用方法の例について説明する。
【００２８】
ペットにペット用おむつカバー２を装着させる手順例は、以下の通りである。
（１）ペットの尻部に図示外のペット用おむつまたはペット用シートを装着する。このペット用おむつまたはペット用シートはいずれも市販されているものを使用するが、ペット用シートはペットの大きさに合わせて略方形にカットしたものを使用する。
（２）ペットの尻部に装着したペット用おむつまたはペット用シートのペットの頭部側に位置する縁部の背側と腹側にそれぞれ２個ずつの雄型点ファスナー４２５が貫通可能な貫通孔を貫設する。
（３）ペットの頭部をペット用おむつカバー２の首カバー帯３０に挿入し、おむつカバー部１０をペットの尻尾側に引き伸ばしながらペットの尻尾を尻尾貫通孔１３に挿入するとともに、おむつカバー部本体１１の両脇からペットの後足が出るようにする。さらに、第１の腹側連結帯５１がペットの前足の腹側に位置するようにする。
（４）第２の背側連結帯４２および第２の腹側連結帯５２の他端に縫着された雌雄一対の点ファスナーの雄型点ファスナー４２５をペット用おむつまたはペット用シートに貫設した貫通孔に貫通させた上、雌型点ファスナー４２７を係止させて係着させる。
【００２９】
上記の手順により、ペット用おむつカバー２はペットに装着されるが、第１の背側連結帯４１および第１の腹側連結帯５１により、おむつカバー部１０はペットの頭部側に付勢され、第２の背側連結帯４２および第２の腹側連結帯５２により、ペット用おむつまたはペット用シートはペットの頭部側に付勢されて、ペットに対してペット用おむつまたはペット用シートとペット用おむつカバー２とは確りと固定される。
【図面の簡単な説明】
【００３０】
【図１】図１は、実施例１および実施例２に係るペット用おむつカバーの使用状態を示す側面図である。
【図２】図２は、実施例１に係るペット用おむつカバーの展開図である。
【図３】図３は、実施例１に係る第２の背側連結帯の斜視図である。
【図４】図４は、実施例２に係るペット用おむつカバーの展開図である。
【図５】図５は、実施例２に係る第２の背側連結帯の斜視図である。
【符号の説明】
【００３１】
１  実施例１に係るペット用おむつカバー
２  実施例２に係るペット用おむつカバー
１０  おむつカバー部
１３  尻尾貫通孔
２５  開閉部
３０  首カバー帯
４１  第１の背側連結帯
４２  第２の背側連結帯
４２１  上部係着帯
４２３  下部係着帯
５１  第１の腹側連結帯
５２  第２の腹側連結帯
【図１】
0003135310.tif 000003
【図２】
0003135310.tif 000004
【図３】
0003135310.tif 000005
【図４】
0003135310.tif 000006
【図５】
0003135310.tif 000007